(57)【要約】    【課題】  周囲の照度を適切に検出して、効果的・効率的な節電運転を実施できる冷蔵庫を提供すること。    【解決手段】  この冷蔵庫は、冷蔵庫本体１の周囲の照度を検出する光センサ６を備え、この光センサ６にて検出された照度により節電運転を行なうように構成されている。この光センサ６は、上記冷蔵庫本体１の上部前面に配置されているので、冷蔵庫の前に人が立っても、照度変化の影響を受けず、周囲の照度を正確に検出することができる。すなわち、周囲の照度を適切に検出して、効果的・効率的な節電運転を実施できる。【選択図】  図１
2005055062.tif 000002
【特許請求の範囲】
【請求項１】
冷蔵庫本体と、
この冷蔵庫本体の周囲の照度を検出する照度検出手段と、
この照度検出手段にて検出された照度が所定の照度レベルより低いときに上記冷蔵庫本体を節電状態に制御する節電制御手段と
を備え、
上記照度検出手段が、上記冷蔵庫本体の上部前面に配置されていることを特徴とする冷蔵庫。
【請求項２】
請求項１に記載の冷蔵庫において、
上記冷蔵庫本体の内部に配置されて上記冷蔵庫本体の扉の開状態にて点灯する庫内灯と、
上記扉が開けられて上記庫内灯が点灯しているときに上記照度検出手段による照度の検出を停止するように制御する照度検出制御手段と
を備えることを特徴とする冷蔵庫。
【請求項３】
請求項１に記載の冷蔵庫において、
上記冷蔵庫本体の内部に配置されて上記冷蔵庫本体の扉の開状態にて点灯する庫内灯と、
上記扉が開けられて上記庫内灯が点灯しているときに上記照度検出手段による照度の検出を停止するように制御する照度検出制御手段と、
上記照度検出手段にて検出された照度を上記冷蔵庫本体への電力供給後から所定期間記憶する記憶手段と、
この記憶手段にて記憶された照度データに基づいて上記所定の照度レベルを設定する照度レベル設定手段と
を備えることを特徴とする冷蔵庫。
【請求項４】
請求項３に記載の冷蔵庫において、
上記所定の照度レベルを記憶するＥＥＰＲＯＭを備えることを特徴とする冷蔵庫。
【請求項５】
請求項１乃至４の何れか一つに記載の冷蔵庫において、
上記冷蔵庫本体の外部に設けられた操作スイッチを備え、
上記節電制御手段は、この操作スイッチの操作に基づいて、上記冷蔵庫本体の制御を行なうことを特徴とする冷蔵庫。
【発明の詳細な説明】
【技術分野】
【０００１】
この発明は、例えば、冷蔵庫本体の周囲の照度を検出する照度検出手段を備え、この照度検出手段にて検出された照度により節電運転を行なう冷蔵庫に関する。
【背景技術】
【０００２】
従来の冷蔵庫には、光センサにより周囲の明るさを検出し、暗い場合に冷却制御の設定温度を上昇させて節電運転を行うもの（特開２００１−９９５３６号公報：特許文献１参照）や、上記光センサが検出した照度を記憶し、この記憶された値から節電運転を開始・終了する照度を演算するもの（特開２００２−１０７０２５号公報：特許文献２参照）がある。
【０００３】
しかしながら、上記従来の冷蔵庫では、上記光センサが、冷蔵庫の前面中央に設けられた操作パネルに、配置されているため、この操作パネルの操作中や冷蔵庫の扉を開けたときや冷蔵庫の前に人が立った場合等は、検出した照度と実際の照度に差がでるため、周囲の照度に応じた節電運転ができない場合がある。さらに、上記扉に上記光センサが配設されると、上記扉に貼られたメモ等で上記光センサが覆われることもあるため、周囲の照度を検出できない場合がある。すなわち、周囲の照度を適切に検出することができず、効果的・効率的な節電運転を実施できなかった。
【０００４】
なお、上記従来の冷蔵庫には、さらにその他、以下の問題点がある。
【０００５】
上記扉が開いて、冷蔵庫内部の庫内灯が点灯している間も、上記光センサによる照度を検知して記憶するため、冷蔵庫内部等の明るさを含んだ照度を検出し、実際の周囲の照度とは異なった明るさを記憶し、その記憶した値で演算した節電運転を行う照度は、実際の照度より明るくなってしまうという問題があった。また、節電運転中も扉が開いている場合は、冷蔵庫内部等の明るさを含んだ照度で判断するため、周囲が暗いのにもかかわらず節電運転が解除されてしまうことがあった。
【０００６】
また、停電や清掃等で冷蔵庫の電源がＯＦＦした場合は、記憶された節電運転を行う照度がクリアされてしまうため、その後電源をＯＮした後は、上記光センサが照度を検出する所定期間（数日間）は節電運転ができなくなる。
【特許文献１】特開２００１−９９５３６号公報
【特許文献２】特開２００２−１０７０２５号公報
【発明の開示】
【発明が解決しようとする課題】
【０００７】
そこで、この発明の課題は、周囲の照度を適切に検出して、効果的・効率的な節電運転を実施できる冷蔵庫を提供することにある。
【課題を解決するための手段】
【０００８】
上記課題を解決するため、この発明の冷蔵庫は、
冷蔵庫本体と、
この冷蔵庫本体の周囲の照度を検出する照度検出手段と、
この照度検出手段にて検出された照度が所定の照度レベルより低いときに上記冷蔵庫本体を節電状態に制御する節電制御手段と
を備え、
上記照度検出手段が、上記冷蔵庫本体の上部前面に配置されていることを特徴としている。
【０００９】
ここで、この明細書では、上記冷蔵庫本体は、箱体とこの箱体に取り付けられた扉とを備え、さらに、圧縮機と蒸発器と凝縮器等からなる冷凍サイクル手段や、冷気循環用ファンモータや冷蔵庫本体内部の温度を補償したり結露や凍結を防止するためのヒータ等の、節電の対象となるものを有する。上記照度検出手段としては、例えば、光センサ等を用いる。上記節電制御手段としては、例えば、マイクロコンピュータ等を用いる。上記冷蔵庫本体の節電とは、例えば、上記冷蔵庫本体の内部の冷却温度を通常の設定温度より高く設定したり、圧縮機の回転数を低下させたり、ヒータの通電率を低下させたりすることをいう。上記所定の照度レベルとしては、節電制御を開始する開始の照度レベルと、節電制御を終了する終了の照度レベルとの、二種類に分けて設定してもよく、通常運転中で、検出された照度が上記開始の照度レベルよりも小さいときに、節電制御を開始し、節電運転中で、検出された照度が上記終了の照度レベルよりも大きいときに節電制御を終了する。このとき、上記開始の照度レベルは、上記終了の照度レベルよりも小さくなる。
【００１０】
この一実施形態の冷蔵庫によれば、上記照度検出手段が、上記冷蔵庫本体の上部前面に配置されているので、上記冷蔵庫本体の前面に設けられた操作パネルの操作中や、上記冷蔵庫本体の扉を開けているときや、冷蔵庫の前に人が立った場合や、上記扉に貼られたメモ等により、照度変化の影響を受けず、周囲の照度を正確に検出することができる。すなわち、周囲の照度を適切に検出して、効果的・効率的な節電運転を実施できる。
【００１１】
なお、上記照度検出手段を、上記冷蔵庫本体の上記箱体の上壁前面に配置することで、上記冷蔵庫本体の上記扉に配置するのに比べて、周囲の照度を一層正確に検出することができる。
【００１２】
また、一実施形態の冷蔵庫では、上記冷蔵庫本体の内部に配置されて上記冷蔵庫本体の扉の開状態にて点灯する庫内灯と、
上記扉が開けられて上記庫内灯が点灯しているときに上記照度検出手段による照度の検出を停止するように制御する照度検出制御手段と
を備える。
【００１３】
ここで、この明細書では、上記照度検出制御手段としては、例えば、マイクロコンピュータ等を用いる。
【００１４】
この一実施形態の冷蔵庫によれば、上記照度検出制御手段は、上記扉が開けられて上記庫内灯が点灯しているときに、上記照度検出手段による照度の検出を停止するように制御するので、上記庫内灯が点灯している間は、上記照度検出手段による照度検知を行わない。したがって、上記庫内灯等の明るさを含んだ照度を検出することがなく、実際の周囲の照度を検出できるので、周囲の明るさに応じた節電運転を確実に行うことができる。また、節電運転中に上記扉をあけても、上記庫内灯の照度にて節電運転が解除することを防止できる。
【００１５】
また、一実施形態の冷蔵庫では、上記冷蔵庫本体の内部に配置されて上記冷蔵庫本体の扉の開状態にて点灯する庫内灯と、
上記扉が開けられて上記庫内灯が点灯しているときに上記照度検出手段による照度の検出を停止するように制御する照度検出制御手段と、
上記照度検出手段にて検出された照度を上記冷蔵庫本体への電力供給後から所定期間記憶する記憶手段と、
この記憶手段にて記憶された照度データに基づいて上記所定の照度レベルを設定する照度レベル設定手段と
を備える。
【００１６】
ここで、この明細書では、上記照度検出制御手段、上記記憶手段および上記照度レベル設定手段としては、例えば、マイクロコンピュータ等を用いる。
【００１７】
この一実施形態の冷蔵庫によれば、上記照度検出制御手段は、上記扉が開けられて上記庫内灯が点灯しているときに、上記照度検出手段による照度の検出を停止するように制御するので、上記庫内灯が点灯している間は、上記照度検出手段による照度検知を行わない。このように、上記庫内灯等の明るさを含んだ照度を検出することがなく、実際の周囲の照度を検出するので、上記記憶手段および上記照度レベル設定手段により、上記所定の照度レベルを、冷蔵庫の設置状況に応じて、自動的に適切なレベルに設定できる。したがって、冷蔵庫が設置されている周囲の明るさに応じた節電運転を確実に行うことができる。また、節電運転中に上記扉をあけても、上記庫内灯の照度にて節電運転が解除することを防止できる。
【００１８】
また、一実施形態の冷蔵庫では、上記所定の照度レベルを記憶するＥＥＰＲＯＭを備える。
【００１９】
この一実施形態の冷蔵庫によれば、ＥＥＰＲＯＭを備えているので、停電や清掃等で冷蔵庫の電源がＯＦＦした場合でも、節電運転を行う上記所定の照度レベルがクリアされてしまうことがなく、その後、電源をＯＮした後でもすぐに上記照度検出手段による節電運転が可能となる。
【００２０】
また、一実施形態の冷蔵庫では、上記冷蔵庫本体の外部に設けられた操作スイッチを備え、
上記節電制御手段は、この操作スイッチの操作に基づいて、上記冷蔵庫本体の制御を行なう。
【００２１】
この一実施形態の冷蔵庫によれば、上記節電制御手段は、上記操作スイッチの操作に基づいて、上記冷蔵庫本体の制御を行なうので、例えば、上記操作スイッチを押して、節電モードを入力したときのみ、上記節電制御手段による節電制御を行うようにすることができ、使用者の使用状態・好み等により節電制御を行え、使い勝手が良くなる。
【発明の効果】
【００２２】
この発明の冷蔵庫によれば、上記照度検出手段が、上記冷蔵庫本体の上部前面に配置されているので、人為的な照度変化の影響を受けず、周囲の照度を正確に検出して、効果的・効率的な節電運転を実施できる。
【発明を実施するための最良の形態】
【００２３】
以下、この発明を図示の実施の形態により詳細に説明する。
【００２４】
（第１の実施形態）
図１は、この発明の冷蔵庫の第１の実施形態を示す正面図である。この冷蔵庫は、冷蔵庫本体１を備え、この冷蔵庫本体１は、箱体１５とこの箱体１５に取り付けられた扉７，８，９とを有する。この冷蔵庫本体１は、上方に冷蔵室３を有すると共にこの冷蔵室３の下に冷凍室４、野菜室５を左右に有する。上記冷蔵室３と、上記冷凍室４および上記野菜室５とは、断熱仕切り部１４により仕切られている。また、上記各室３，４，５には、それぞれ、前面に枢支された冷蔵室扉７、冷凍室扉８、野菜室扉９により開閉可能である。そして、上記各室３，４，５は、上記冷蔵庫本体１の背面側に設けられた圧縮機、蒸発器、凝縮器が順次接続してなされる冷凍サイクル及び冷気循環用ファンモータ（共に図示省略）によって、冷却されるようになっている。
【００２５】
また、上記断熱仕切り部１４には、バックライト１０、液晶表示１１、操作スイッチ１２を有する操作パネル２が設けられている。この操作パネル２により、節電モード設定、庫内の温度設定、冷蔵庫の制御モード設定（例えば自動製氷動作、急速冷凍動作、急速製氷動作）等を行うことができる。さらに、この操作パネル２には、現在の冷蔵庫の庫内温度表示や上記各制御モード設定状態を表示する。また、冷蔵庫本体１の上部前面には、光センサ（照度検出手段）６及び冷蔵室扉７の開閉を検知するドアスイッチ１３が設けられている。なお、この実施形態では、上記光センサ６を、上記箱体１５の上壁前面の中央に配置しているが、上部であれば、中央部でなくてもよく、また、上記扉７に配置してもよい。
【００２６】
したがって、上記光センサ６が、上記冷蔵庫本体１の上部前面に配置されているので、上記操作パネル２の操作中や、上記扉７，８，９を開けているときや、冷蔵庫の前に人が立った場合等でも陰にならず、また、上記扉７，８，９に貼られたメモ等により、光センサー６が隠されることはない。
【００２７】
図２は、この発明の冷蔵庫の電気回路概略図を示す。なお、図２では、図１の構成部材と同一のものには同一の符号を付している。
【００２８】
上記冷蔵庫本体１内部に設けられた本体マイコン（マイクロコンピュータ）２０には、庫内を冷却するための圧縮機及び冷気循環用ファンモータ（共に図示省略）等を制御する冷却制御回路２１、上記光センサ６、電源がOFFしても内部のデータを保持し電気的に書き込み・読み出しが可能な記憶素子であるＥＥＰＲＯＭ２２、上記冷蔵室３内に配置されて上記冷蔵室扉７の開状態にて点灯する庫内灯２３、および、上記冷蔵室扉７の開閉を検知するドアスイッチ１３が接続されている。
【００２９】
また、上記操作パネル２内部に設けられた操作マイコン２５には、バックライト１０、液晶表示１１、操作スイッチ１２が接続されている。また、上記本体マイコン２０と上記操作マイコン２５とは、通信回路２４により接続されていて、それぞれの制御データ（例えば、節電モード設定・庫内の温度設定・庫内温度・節電運転中等の制御モード情報等）を相互に通信している。
【００３０】
上記構成の冷蔵庫によれば、上記本体マイコン２０が、上記光センサ６にて検出された照度が所定の照度レベルより低いときに上記冷蔵庫本体１を節電状態に制御する節電制御手段を備える。したがって、上記光センサ６が人為的な照度変化の影響を受けず、周囲の照度を正確に検出することができるので、周囲の照度を適切に検出して、効果的・効率的な節電運転を実施できる。
【００３１】
（第２の実施形態）
図３は、この発明の冷蔵庫の第２の実施形態を示す制御フローチャートを示す。上記ドアスイッチ１３により上記冷蔵室扉７の開閉状態を検知し（Ｓ１０１）、上記扉７が開状態であれば、上記庫内灯２３を点灯し（Ｓ１０２）、再度、上記扉７の開閉状態を検知する（Ｓ１０１）。一方、上記扉７が閉状態であると検知した場合は、上記庫内灯２３を消灯し（Ｓ１０３）、上記光センサー６によって現在の照度Ｌを検知する（Ｓ１０４）。このように、上記庫内灯２３が消灯しているときのみ、上記光センサー６により照度検知を行うので、上記庫内灯２３の光の影響は受けない。
【００３２】
次に、現在節電制御中であるかどうかを判断し（Ｓ１０５）、節電制御中でなく通常制御中であれば、現在の照度Ｌと節電制御を開始する照度レベルＬ０とを比較し（Ｓ１０７）、現在の照度Ｌが節電制御を開始する照度レベルＬ０より小さい（暗い）場合は、節電制御を開始する（Ｓ１０８）。逆に、現在の照度Ｌが節電制御を開始する照度レベルＬ０より大きい（明るい）場合は、通常制御を継続する（Ｓ１０９）。
【００３３】
一方、現在、節電制御中であれば、現在の照度Ｌと節電制御を終了する照度レベルＬ１とを比較し（Ｓ１０６）、現在の照度Ｌが節電制御を終了する照度レベルＬ１（Ｌ１＞Ｌ０）より大きい（明るい）場合は、節電制御を終了し通常制御を行う（Ｓ１０９）。逆に、現在の照度Ｌが節電制御を終了する照度レベルＬ１より小さい（暗い）場合は、節電制御を継続する（Ｓ１０８）。
【００３４】
なお、ここでの節電制御は、上記操作パネル２で設定された冷蔵庫庫内の冷却温度設定を上昇させる等により消費電力の削減を行うものである。
【００３５】
上記構成の冷蔵庫によれば、上記本体マイコン２０が、上記光センサ６にて検出された照度が上記照度レベルより低いときに上記冷蔵庫本体１を節電状態に制御する節電制御手段と、上記扉７が開けられて上記庫内灯２３が点灯しているときに上記光センサ６による照度の検出を停止するように制御する照度検出制御手段とを備える。したがって、上記庫内灯２３の明るさを含んだ照度を検出することがなく、実際の周囲の照度を検出できるため、周囲の明るさに応じた節電運転を確実に行うことができる。
【００３６】
（第３の実施形態）
図４は、この発明の冷蔵庫の第３の実施形態を示す制御フローチャートを示す。上記ドアスイッチ１３により上記冷蔵室扉７の開閉状態を検知し（Ｓ４０１）、上記扉７が閉状態であれば、上記庫内灯２３を消灯し（Ｓ４０２）、上記光センサ６によって照度を検知しその検知データを本体マイコン２０に記憶する（Ｓ４０３）。一方、上記扉７が開状態であると検知した場合は、上記庫内灯２３を点灯する（Ｓ４０４）のみで、上記照度検知・記憶はされない。
【００３７】
その後、所定の期間の照度が記憶されたかどうかを判断する（Ｓ４０５）。例えば、冷蔵庫が設置されてから３日間あるいは１週間分の照度データが記憶されたかどうかを判断するのである。所定の期間の照度が記憶されていない場合は、節電制御を行う照度レベルが設定できないため通常制御を行う（Ｓ４０６）。一方、所定の期間の照度が記憶されていれば、節電制御を行う照度レベルを設定する（Ｓ４０７）。この節電制御を行う照度レベルは、所定の期間の照度データに基づいて算出し、通常制御中に周囲の照度が暗くなってきた時に節電制御を開始する照度レベルＬ０および節電制御中に周囲の照度が明るくなってきた時に節電制御を終了する照度レベルＬ１（Ｌ１＞Ｌ０）を設定する。ここで設定した照度レベルＬ０，Ｌ１により節電制御を行う。
【００３８】
そして、上記照度レベルＬ０，Ｌ１が設定されると、再度、上記冷蔵室扉７の開閉状態を検知し（Ｓ４０８）、上記扉７が閉状態であれば、上記庫内灯２３を消灯し（Ｓ４０９）、光センサ６によって現在の照度Ｌを検知する（Ｓ４１０）。一方、上記扉７が開状態であると検知した場合は、上記庫内灯２３を点灯する（Ｓ４１１）のみで、上記照度検知はされない。
【００３９】
その後、現在節電制御中であるかどうかを判断し（Ｓ４１２）、節電制御中であれば、現在の照度Ｌと節電制御を終了する照度レベルＬ１とを比較し（Ｓ４１３）、現在の照度Ｌが節電制御を終了する照度レベルＬ１より大きい（明るい）場合は、節電制御を終了し通常制御を行う（Ｓ４１６）。逆に、現在の照度Ｌが節電制御を終了する照度レベルＬ１より小さい（暗い）場合は、節電制御を継続する（Ｓ４１５）。
【００４０】
一方、現在、節電制御中でなく通常制御中であれば、現在の照度Ｌと節電制御を開始する照度レベルＬ０とを比較し（Ｓ４１４）、現在の照度Ｌが節電制御を開始する照度レベルＬ０より小さい（暗い）場合は、節電制御を開始する（Ｓ４１５）。逆に、現在の照度Ｌが節電制御を開始する照度レベルＬ０より大きい（明るい）場合は、通常制御を継続する（Ｓ４１６）。
【００４１】
なお、ここでの節電制御は、上記操作パネル２で設定された冷蔵庫庫内の冷却温度設定を上昇させる等により消費電力の削減を行うものである。
【００４２】
上記構成の冷蔵庫によれば、上記本体マイコン２０が、上記光センサ６にて検出された照度を上記冷蔵庫本体１への電力供給後から所定期間記憶する記憶手段と、この記憶手段にて記憶された照度データに基づいて上記冷蔵庫本体１の周囲の照度が低いと判定するための所定の照度レベルを設定する照度レベル設定手段と、上記光センサ６にて検出された照度が上記所定の照度レベルより低いときに上記冷蔵庫本体１を節電状態に制御する節電制御手段と、上記扉７が開けられて上記庫内灯２３が点灯しているときに上記光センサ６による照度の検出を停止するように制御する照度検出制御手段とを備える。したがって、上記庫内灯２３の明るさを含んだ照度を検出することがなく、実際の周囲の照度を検出できるため、周囲の明るさに応じた節電運転を確実に行うことができる。
【００４３】
（第４の実施形態）
図５は、この発明の冷蔵庫の第４の実施形態を示す制御フローチャートを示す。上記ＥＥＰＲＯＭ２２に節電制御を開始する照度レベルＬ０および節電制御を終了する照度レベルＬ１が記憶されているかどうかを判断し（Ｓ５０１）、記憶されていない場合は、上記光センサ６によって照度を検知しその検知データを上記本体マイコン２０に記憶し（Ｓ５０２）、その後、所定の期間の照度が記憶されたかどうかを判断する（Ｓ５０３）。例えば、冷蔵庫が設置されてから３日間あるいは１週間分の照度データが記憶されたかどうかを判断するのである。
【００４４】
そして、所定の期間の照度が記憶されていない場合は、節電制御を行う照度レベルが設定できないため、通常制御を行う（Ｓ５０４）。一方、所定の期間の照度が記憶されていれば、節電制御を行う照度レベルを設定する（Ｓ５０６）。この節電制御を行う照度レベルは、所定の期間の照度データに基づいて算出し、通常制御中に周囲の照度が暗くなってきた時に節電制御を開始する照度レベルＬ０および節電制御中に周囲の照度が明るくなってきた時に節電制御を終了する照度レベルＬ１（Ｌ１＞Ｌ０）を設定し、照度レベルＬ０，Ｌ１をＥＥＰＲＯＭ２２に記憶する（Ｓ５０６）。ここで、ＥＥＰＲＯＭ２２に記憶した照度レベルＬ０，Ｌ１は、冷蔵庫の電源をOFFしても消去されずに記憶される。
【００４５】
一方、ＥＥＰＲＯＭ２２に照度レベルＬ０，Ｌ１が記憶されていると判断した（Ｓ５０１）場合は、所定期間の照度データ記憶と照度レベルＬ０、Ｌ１の算出をスキップする。
【００４６】
ここで、一度照度レベルＬ０，Ｌ１をＥＥＰＲＯＭ２２に記憶すれば（Ｓ５０６）、その後、冷蔵庫の電源をOFFしても、ＥＥＰＲＯＭ２２に照度レベルＬ０，Ｌ１が記憶されていると判断される（Ｓ５０１）ことになる。
【００４７】
そして、照度レベルＬ０，Ｌ１が設定された後、上記光センサ６によって現在の照度Ｌを検知する（Ｓ５０７）。なお、その後の工程（Ｓ５０８〜Ｓ５１２）は、上記第３の実施形態（図４中のＳ４１２〜Ｓ４１６）と同じであるので、その説明を省略する。
【００４８】
なお、説明を省略したが、上記第３の実施形態と同様に、上記照度検出制御手段は、上記扉７が開けられて上記庫内灯２３が点灯しているときに、上記光センサ６による照度の検出を停止するように制御するものとする。
【００４９】
（第５の実施形態）
次に、上記全ての実施形態では、特に操作をしなくても上記光センサ６による節電制御を行う構成にしているが、上記操作パネル２の上記操作スイッチ１２を押して、節電モードを入力したときのみ、上記光センサ６による節電制御を行うようにしてもよい。すなわち、上記節電制御手段を、上記操作スイッチ１２の操作に基づいて、上記冷蔵庫本体１の制御を行なうように構成してもよく、使用者の使用状態・好み等により節電制御を行え、使い勝手が良くなる。
【図面の簡単な説明】
【００５０】
【図１】本発明の冷蔵庫の第１実施形態を示す正面図である。
【図２】本発明の冷蔵庫の電気回路概略図である。
【図３】本発明の冷蔵庫の第２実施形態を示す制御フローチャートである。
【図４】本発明の冷蔵庫の第３実施形態を示す制御フローチャートである。
【図５】本発明の冷蔵庫の第４実施形態を示す制御フローチャートである。
【符号の説明】
【００５１】
１    冷蔵庫本体
２    操作パネル
６    光センサ
７    冷蔵室扉
８    冷凍室扉
９    野菜室扉
１２  操作スイッチ
２０  本体マイコン
２２  ＥＥＰＲＯＭ
２３  庫内灯
【図１】
2005055062.tif 000003
【図２】
2005055062.tif 000004
【図３】
2005055062.tif 000005
【図４】
2005055062.tif 000006
【図５】
2005055062.tif 000007